(57)【要約】【課題】  消費電力の上昇を抑制し，プラズマディスプレイパネル効率を高めたプラズマディスプレイパネルを提供する。【解決手段】  互いに対向配置される第１基板２および第２基板４と，第１基板２の第２基板４との対向面上に形成されるアドレス電極１２と，放電セル８Ｒ，８Ｇおよび８Ｂを区画する隔壁６と，放電セル８Ｒ，８Ｇおよび８Ｂ内に位置する蛍光層１６Ｒ，１６Ｇおよび１６Ｂと，第２基板４の第１基板２との対向面上にアドレス電極１２と交差する方向に沿って形成される維持電極１８とを含み，維持電極１８が，毎列の放電セルグループごとに備えるスキャン電極Ｙｎと，隣接した２つの列の放電セルグループが共有する共通電極Ｘｎとを含み，共通電極Ｘｎが非放電領域１０に対応して配置される部位を含むように形成されるプラズマディスプレイパネルにより，消費電力を抑制し，プラズマディスプレイパネル効率を高めることが可能となる。【選択図】    図１
2005123191.tif 000002
【特許請求の範囲】
【請求項１】
プラズマディスプレイパネルにおいて：
任意の間隔をおいて互いに対向配置される第１基板および第２基板と；
前記第１基板の前記第２基板との対向面上に形成されるアドレス電極と；
前記第１基板と前記第２基板との間に配置されて放電セルを区画する隔壁と；
前記各々の放電セル内に位置する蛍光層と；
前記第２基板の前記第１基板との対向面上に前記アドレス電極と交差する方向に沿って形成される維持電極と；を含み，
前記維持電極は，毎列の放電セルグループごとに備えられるスキャン電極と，前記アドレス電極方向に沿って隣接した２つの列の放電セルグループの間に位置して，前記隣接した２つの列の放電セルグループが共有する共通電極とを含み，
前記共通電極は，前記第１基板と前記第２基板との間に形成される非放電領域に対応して配置される部位を含むことを特徴とする，プラズマディスプレイパネル。
【請求項２】
前記スキャン電極は，前記各放電セルグループの中心部を横切るように形成されることを特徴とする，請求項１に記載のプラズマディスプレイパネル。
【請求項３】
前記共通電極は，透明電極と，前記透明電極と電気的に連結されるバス電極とを含み，前記バス電極が前記隔壁に沿って前記隔壁上に配置されることを特徴とする，請求項１または２に記載のプラズマディスプレイパネル。
【請求項４】
前記透明電極は，前記隣接した２つの列の放電セルグループの内部に掛かるように形成されることを特徴とする，請求項３に記載のプラズマディスプレイパネル。
【請求項５】
前記共通電極は，透明電極と，前記透明電極と電気的に連結されるバス電極とを含み，前記バス電極が前記各列の放電セルグループの間に形成される空間に沿ってこの空間上に配置されることを特徴とする，請求項１または２に記載のプラズマディスプレイパネル。
【請求項６】
前記透明電極は，前記２つの列の放電セルグループの内部に掛かるように形成されることを特徴とする，請求項５に記載のプラズマディスプレイパネル。
【請求項７】
前記隔壁は，前記各々の放電セルを独立的に区画する閉鎖型構造であることを特徴とする，請求項１，２，３，４，５または６のいずれかに記載のプラズマディスプレイパネル。
【請求項８】
前記隔壁は，前記アドレス電極と平行する第１隔壁部材と，前記アドレス電極と直交する第２隔壁部材とを含む格子型構造であることを特徴とする，請求項７に記載のプラズマディスプレイパネル。
【請求項９】
前記隔壁の高さは，９０〜１２０μｍであることを特徴とする，請求項１，２，３，４，５，６，７または８のいずれかに記載のプラズマディスプレイパネル。
【請求項１０】
プラズマディスプレイパネルにおいて：
任意の間隔をおいて互いに対向配置される第１基板および第２基板と；
前記第１基板の前記第２基板との対向面上に形成されるアドレス電極と；
前記第１基板と前記第２基板との間に配置されて放電セルと非放電領域を区画する隔壁と；
前記各々の放電セル内に位置する蛍光層と；
前記第２基板の前記第１基板との対向面上に前記アドレス電極と交差する方向に沿って形成される維持電極と；を含み，
前記非放電領域は，前記各放電セルの中心を横切る水平軸と垂直軸により囲まれた領域内に配置され，
前記維持電極は，毎列の放電セルグループごとに備えられるスキャン電極と，前記アドレス電極方向に沿って隣接した２つの列の放電セルグループの間に位置して前記２つの列の放電セルグループが共有する共通電極とを含み，
前記共通電極は，前記非放電領域に対応して配置される部位を含むことを特徴とする，プラズマディスプレイパネル。
【請求項１１】
前記放電セルは，前記アドレス電極方向に沿って位置する両側端部の幅が前記放電セルの中心から遠くなるほど狭く形成されることを特徴とする，請求項１０に記載のプラズマディスプレイパネル。
【請求項１２】
前記放電セルは，前記アドレス電極方向に沿って位置する両側端部において，前記隔壁上端より測定される深さが前記放電セルの中心から遠くなるほど浅く形成されることを特徴とする，請求項１０または１１に記載のプラズマディスプレイパネル。
【請求項１３】
前記隔壁は，前記アドレス電極と平行する方向の第１隔壁部材と，前記アドレス電極と平行せず，前記第１隔壁部材と所定の傾斜角を有して交差するように形成される第２隔壁部材と，前記アドレス電極と直交する方向に配置された第３隔壁部材とを含むことを特徴とする，請求項１０，１１または１２のいずれかに記載のプラズマディスプレイパネル。
【請求項１４】
前記スキャン電極は，前記各放電セルグループの中心部を横切るように形成されることを特徴とする，請求項１０，１１，１２または１３のいずれかに記載のプラズマディスプレイパネル。
【請求項１５】
前記共通電極が，透明電極と，前記透明電極と電気的に連結されるバス電極とを含み，前記バス電極が前記非放電領域上に配置されることを特徴とする，請求項１０，１１，１２，１３または１４のいずれかに記載のプラズマディスプレイパネル。
【請求項１６】
前記透明電極は，前記２つの列の放電セルグループの内部に掛かるように形成されることを特徴とする，請求項１５に記載のプラズマディスプレイパネル。
【請求項１７】
前記隔壁の高さは，９０〜１２０μｍであることを特徴とする，請求項１０，１１，１２，１３，１４，１５または１６のいずれかに記載のプラズマディスプレイパネル。
【発明の詳細な説明】
【技術分野】
【０００１】
本発明はプラズマディスプレイパネルに係り，より詳しくは，交流型プラズマディスプレイパネルに関するものである。
【背景技術】
【０００２】
一般に，プラズマディスプレイパネル（ＰＤＰ；Ｐｌａｓｍａ  Ｄｉｓｐｌａｙ  Ｐａｎｅｌ）は，放電セル内で起こる気体放電による真空紫外線で蛍光体を励起させて画像を実現する表示装置である。プラズマディスプレイパネルは，電圧印加方式によって交流型と直流型とに区分され，電極の構成形態によって対向放電型と面放電型とに区分される。最近は，３電極面放電構造の交流型プラズマディスプレイパネルが一般的に用いられている。
【０００３】
従来の３電極面放電構造の交流型プラズマディスプレイパネルでは，各放電セルに対応して，後面基板にアドレス電極と隔壁および蛍光層が形成され，前面基板に，スキャン電極と共通電極とからなる維持電極が形成される。アドレス電極と維持電極は，各々の誘電層で覆われており，アドレス電極と維持電極とが交差する放電セル内部は，放電ガス（主にＮｅ−Ｘｅ混合ガス）で満たされている。
【０００４】
このような構成により，アドレス電極とスキャン電極との間にアドレス電圧（Ｖａ）を印加および放電させ，このアドレス放電を通じて発光が起こる放電セルを指定する。そして，全てのスキャン電極と共通電極との間に維持電圧（Ｖｓ）を印加すれば，指定された放電セルだけで，放電セル内にプラズマ放電が起こりながら，プラズマ放電時に作られるＸｅの励起原子から真空紫外線が放出される。真空紫外線が当該放電セルの蛍光層を励起させて可視光を発することによって，画像表示を可能にする。ここで，放電セルによって蛍光層の発光色を異ならせ，例えば，近接する３個のセルを３原色に塗り分ければ，所望のカラー表示が可能になる。
【０００５】
【特許文献１】特開２０００−２８５８１４号公報
【発明の開示】
【発明が解決しようとする課題】
【０００６】
上述のようなプラズマディスプレイパネルでは，電力を入力して最終可視光を得るまでに種々の過程を経るが，これらの過程でのエネルギ変換効率が不十分なため，現在のプラズマディスプレイパネルが示す効率（消費電力に対する輝度比）は陰極線管に比べて低い水準にある。したがって，画面の輝度を高め，消費電力を低くして効率を高めることが重要な課題となっている。
【０００７】
一方，特開２０００−２８５８１４号では，３電極面放電構造を有するプラズマディスプレイパネルの問題点として，次の２種類の事項を指摘している。
【０００８】
第一に，維持電極方向に沿って位置する放電セルにおいて，放電セルの位置に応じて放電強度が変化するために，表示の輝度不均衡を招くおそれがある。
【０００９】
第二に，アドレス電極方向に沿って位置する放電セル間の誤放電により，誤表示が生じるおそれがある。
【００１０】
前述の先行文献では，これらの問題を解消するために，単位放電セルごとに一つのスキャン電極と２つの共通電極を配置し，共通電極の単位長さ当たりの抵抗値を，スキャン電極の単位長さ当たり抵抗値のおよそ２倍に設定している。
【００１１】
このとき，スキャン電極と共通電極は，それぞれ透明電極と，透明電極の導電性を補完する金属のバス電極とからなり，隔壁は，アドレス電極に平行なストライプパターン（線状形態）に形成される。
【００１２】
しかし，前述の先行文献にて開示された構造は，次のような理由によりいくつかの技術的限界がある。
【００１３】
第一に，スキャン電極と共通電極に備えられたバス電極が，放電空間に露出されているため，維持電極を通じて流れる放電電流の量が大きく増加する。これは，消費電力の上昇を誘発してプラズマディスプレイパネル効率を低下させ，放電セル内の平均的な輝度の実現を妨げ，画面品質を低下させるおそれがある。
【００１４】
第二に，各々の放電セルに３個の維持電極が配置され，アドレス電極方向に沿って画素数を増加するのに限界があるため，高画質の画面構成が難しくなる。また，前述の構成に基づいて高画質の画面を構成する際，アドレス電極方向に沿って位置する放電セル間のクロストーク（ｃｒｏｓｓ−ｔａｌｋ）問題が生じると予想される。
【００１５】
第三に，プラズマディスプレイパネルの効率を向上するための方案の一つとして，放電ガス中のＸｅ含量またはＸｅ−Ｈｅ混合ガスの含量を増加させているが，前述した電極と隔壁を有する構造，特に，前述した隔壁構造ではアドレス放電と維持放電の不安定を誘発し，実質的な効率は低いと予想される。
【００１６】
したがって，更なる品質向上のためには，放電セル内の放電電流を制限し，消費電力の上昇を抑制して発光効率を高めること，解像度向上のために放電セルのピッチ（配置間隔）を縮めること，放電セル間のクロストークを減少させ放電を安定化することなどの改善が必要である。
【００１７】
そこで，本発明は，このような問題に鑑みてなされたもので，その目的は，放電セル内の放電電流を制限して消費電力の上昇を抑制し，発光効率を極大にしてプラズマディスプレイパネル効率を高めることができるプラズマディスプレイパネルを提供することにある。
【００１８】
また，他の目的としては，アドレス電極方向に沿って放電セルのピッチを減らして高画質プラズマディスプレイパネルの実現を容易にすると同時に，アドレス電極方向に沿って位置する放電セル間クロストーク問題を解決して，放電を安定化することができるプラズマディスプレイパネルを提供することにある。
【課題を解決するための手段】
【００１９】
上記課題を解決するために，本発明のある観点によれば，プラズマディスプレイパネルにおいて，任意の間隔をおいて互いに対向配置される第１基板および第２基板と；第１基板の第２基板との対向面上に形成されるアドレス電極と；第１基板と第２基板との間に配置されて放電セルを区画する隔壁と；各々の放電セル内に位置する蛍光層と；第２基板の第１基板との対向面上にアドレス電極と交差する方向に沿って形成される維持電極と；を含み，維持電極が，毎列の放電セルグループごとに備えられるスキャン電極と，アドレス電極方向に沿って隣接した２つの列の放電セルグループの間に位置して，２つの列の放電セルグループが共有する共通電極とを含み，共通電極が第１基板と第２基板との間に形成される非放電領域に対応して配置される部位を含むように形成されるプラズマディスプレイパネルが提供される。
【００２０】
このとき，スキャン電極は，各放電セルグループの中心部を横切るように形成される。
【００２１】
共通電極は，透明電極と，この透明電極と電気的に連結されるバス電極とを含み，バス電極は，放電セルグループの外側領域に，隔壁に沿ってこの隔壁上に配置される。このとき，透明電極は，２つの列の放電セルグループの内部に掛かるように形成される。これにより，共通電極のうち，抵抗の低いバス電極が放電空間に露出されることを防止し，放電電流の流れを制限することによって消費電力の上昇を抑制し，共通電極の電圧降下を減らして均一な輝度を示すことができるようになる。
【００２２】
また，バス電極は，各列の放電セルグループの間に形成される空間に沿ってこの空間上に配置される。このときにも透明電極は，２つの列の放電セルグループの内部に掛かるように形成され，上記と同様に，均一な輝度を示すことができるようになる。
【００２３】
隔壁は，各々の放電セルを独立的に区画する閉鎖型構造からなる。このような隔壁は，アドレス電極と平行する第１隔壁部材と，アドレス電極と直交する第２隔壁部材とを含む格子型構造からなることができる。これにより，アドレス電極方向に沿って位置する放電セル間クロストークを防止し，放電の安定化を図ることが可能となる。
【００２４】
このとき，隔壁の高さは，アドレス放電に有利な放電構造を構成するため，９０〜１２０μｍであるのが好ましい。
【００２５】
また，上記課題を解決するために，本発明の別の観点によれば，プラズマディスプレイパネルにおいて，任意の間隔をおいて互いに対向配置される第１基板および第２基板と；第１基板の第２基板との対向面上に形成されるアドレス電極と；第１基板と第２基板との間に配置されて放電セルと非放電領域を区画する隔壁と；各々の放電セル内に位置する蛍光層と；第２基板の第１基板との対向面上にアドレス電極と交差する方向に沿って形成される維持電極と；を含み，非放電領域が各放電セルの中心を横切る水平軸と垂直軸により囲まれた領域内に配置され，維持電極が毎列の放電セルグループごとに備えられるスキャン電極と，アドレス電極方向に沿って隣接した２つの列の放電セルグループの間に位置して２つの列の放電セルグループが共有する共通電極とを含み，共通電極が非放電領域に対応して配置される部位を含むように形成されるプラズマディスプレイパネルが提供される。
【００２６】
放電セルは，アドレス電極方向に沿って位置する両側端部の幅が，放電セルの中心から遠くなるほど狭く形成される。これは，維持放電と輝度の向上に寄与する程度が小さい部分を最小にする形態とするためである。
【００２７】
また，放電セルは，アドレス電極方向に沿って位置する両側端部で，隔壁上端から測定される深さが放電セルの中心から遠くなるほど浅く形成される。
【００２８】
隔壁は，アドレス電極と平行する方向の第１隔壁部材と，アドレス電極と平行せずに第１隔壁部材と所定の傾斜角を有して交差するように形成される第２隔壁部材とを含んで構成される。
【発明の効果】
【００２９】
本発明によれば，各放電セルに一つのスキャン電極と一対の共通電極を配置し，隣り合う２つの放電セルグループが，一つの共通電極を共有することによってアドレス電極方向に沿った放電セルの縦ピッチを減少させ，画面の短軸方向に画素数を増加させるのに有効に作用するので，高画質なプラズマディスプレイパネルの製作が容易になる。
【００３０】
また，本実施例で共通電極のバス電極が放電セルの外側領域に位置することにより，抵抗の低い金属電極が放電空間に露出することを防止する。さらに，放電電流の流れを制限することによって消費電力の上昇を抑制し，共通電極の電圧降下を減らして均一な輝度を示すことができる。
【００３１】
さらに，隔壁が各々の放電セルを独立的に区画することによって，アドレス電極方向に沿って位置する放電セル間クロストークを防止し，放電の安定化に寄与することができる。
【００３２】
以上より，放電セル内の放電電流を制限して消費電力の上昇を抑制し，発光効率を極大化させてプラズマディスプレイパネル効率を高めることができるプラズマディスプレイパネルを提供することができる。また，アドレス電極方向に沿って放電セルのピッチを減らして高画質プラズマディスプレイパネルの実現を容易にすると同時に，アドレス電極方向に沿って位置する放電セル間クロストーク問題を解決して，放電を安定化することができるプラズマディスプレイパネルを提供することができる。
【発明を実施するための最良の形態】
【００３３】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３４】
図１は，本実施形態によるプラズマディスプレイパネルの部分分解斜視図であり，図２および図３は，それぞれ図１のプラズマディスプレイパネルが結合された状態で示した部分平面図および部分断面図である。また，通常の使用状態を想定すると，Ｘ軸は水平方向，Ｙ軸は垂直方向を示し，Ｘ軸に沿って配置された集合を列と記すことがある。
【００３５】
図１を参照すると，本実施形態によるプラズマディスプレイパネルは，第１基板２と第２基板４が任意の間隔をおいて互いに対向配置され，両基板の間には，隔壁６によって区画される放電セル８Ｒ，８Ｇおよび８Ｂと非放電領域１０が備えられている。放電セル８Ｒ，８Ｇおよび８Ｂ内部は，放電ガス（Ｎｅ−Ｘｅ混合ガス）で満たされる。
【００３６】
第１基板２の内面には，一方向（図１のＹ方向）に沿ってアドレス電極１２が形成され，このアドレス電極１２を覆いながら，第１基板２の内面全体に第１誘電層１４が位置する。アドレス電極１２は，例えば，ストライプパターンに形成されて，隣接した他のアドレス電極１２と所定の間隔をおいて並んで位置する。
【００３７】
第１誘電層１４上には隔壁６が配置されて，放電セル８Ｒ，８Ｇおよび８Ｂと非放電領域１０を区画する。ここで，放電セル８Ｒ，８Ｇおよび８Ｂは，内部でガス放電および発光が起こると予定されている空間であり，非放電領域１０は，ガス放電および発光が予定されていない領域または空間を意味する。図１には，放電セル８Ｒ，８Ｇおよび８Ｂと非放電領域１０が各々独立したセル構造を有するように形成した形態を示している。
【００３８】
より具体的に見れば，隔壁６は，放電セル８Ｒ，８Ｇおよび８Ｂをアドレス電極１２の長手方向（図１のＹ方向）と，アドレス電極１２と直交する方向（図１のＸ方向）に沿って区画し，各々の放電セル８Ｒ，８Ｇおよび８Ｂは，放電ガスの拡散形態を考慮して最適化された形状に構成される。
【００３９】
放電セル８Ｒ，８Ｇおよび８Ｂの最適化された形状は，各々の放電セル８Ｒ，８Ｇおよび８Ｂにおいて，実質的に維持放電と輝度向上に寄与する程度が小さい部分を最小化した形状である。具体的には，各放電セル８Ｒ，８Ｇおよび８Ｂにおいて，アドレス電極１２方向に位置する両側端部の幅が放電セル８Ｒ，８Ｇおよび８Ｂの中心から遠くなるほど狭くなる形状を意味する。
【００４０】
つまり，図１を参照すると，放電セル８Ｒ，８Ｇおよび８Ｂの中心部での幅（Ｗｃ）は端部での幅（Ｗｅ）より大きく形成され，端部での幅（Ｗｅ）は放電セル８Ｒ，８Ｇおよび８Ｂの中心から遠くなるほど狭くなる特性を示す。したがって，放電セル８Ｒ，８Ｇおよび８Ｂの両側端部は，おおよそ梯形模様に見え，各放電セル８Ｒ，８Ｇおよび８Ｂの全体的な平面形状は八角形になる。
【００４１】
図２において，各放電セル８Ｒ，８Ｇおよび８Ｂの中心を横切る仮想の水平軸（Ｈ）と垂直軸（Ｖ）を仮定した場合，この水平軸（Ｈ）と垂直軸（Ｖ）によって囲まれた領域内に非放電領域１０が位置している。非放電領域１０は，特に，その中心が水平軸（Ｈ）と垂直軸（Ｖ）によって囲まれた領域の中心と一致するように形成することができる。つまり，構造では，アドレス電極１２方向（図２のＹ方向）に沿って隣接する一対の放電セルと，アドレス電極１２と直交する方向（図２のＸ方向）に沿って隣接する一対の放電セルとからなる４個の放電セルの間に，一つの共通する非放電領域１０が位置する。
【００４２】
このような放電セル８Ｒ，８Ｇおよび８Ｂと非放電領域１０の形成は，アドレス電極１２と平行する方向（図２のＹ方向）の第１隔壁部材６ａと，アドレス電極１２と平行せずに第１隔壁部材６ａを連結する第２隔壁部材６ｂ，およびアドレス電極１２と直交する方向（図２のＸ方向）に配置される第３隔壁部材６ｃを含む隔壁６によって形成することができる。第２隔壁部材６ｂは，第１隔壁部材６ａと所定の傾斜角を有して交差するように形成される。特に，本実施形態で第２隔壁部材６ｂおよび第３隔壁部材６ｃは，アドレス電極１２方向に隣接する放電セルの間で，おおよそＸ字模様になる。
【００４３】
そして，放電セル８Ｒ，８Ｇおよび８Ｂ内部には，赤色，緑色，または青色の蛍光体が各々塗布されて，蛍光層１６Ｒ，１６Ｇおよび１６ｂを成している。
【００４４】
また，図３を参照すると，アドレス電極１２方向（図３のＹ方向）に位置する放電セル８Ｒの両側端部において，第２隔壁部材６ｂの上端から測定される深さ（Ｄｅ）は，放電セル８Ｒの中心から遠くなるほど浅く形成される。つまり，放電セル８Ｒの端部での深さ（Ｄｅ）は中心部での深さ（Ｄｃ）より浅く，端部での深さ（Ｄｅ）は放電セル８Ｒの中心から遠くなるほど順に浅くなる。このような放電セル８Ｒの深さ特性は，緑色放電セル８Ｇと青色放電セル８Ｂにも同一に適用される。
【００４５】
一方，第１基板２に対向する第２基板４の内面には，アドレス電極１２と直交する方向（図１のＸ方向）に沿って維持電極１８が形成される。そして，維持電極１８を覆いながら，第２基板４の内面全体に，透明な第２誘電層２０とＭｇＯ保護膜２２が位置する。ここで，図１では，図面の簡略化のために第２誘電層２０とＭｇＯ保護膜２２は省略した。
【００４６】
維持電極１８は，アドレス電極１２と作用して放電セル８Ｒ，８Ｇおよび８Ｂを選択するスキャン電極（Ｙｎ；ｎ＝１，２，３）と，スキャン電極（Ｙｎ）と作用して放電セル８Ｒ，８Ｇおよび８Ｂ内に放電を開始および維持する共通電極（Ｘｎ；ｎ＝１，２，３）とからなる。スキャン電極（Ｙｎ）と共通電極（Ｘｎ）は，光透過率の高い透明電極２４ａおよび２６ａと，透明電極２４ａおよび２６ａ上に配置されて透明電極２４ａおよび２６ａの導電性を補完する金属のバス電極２４ｂおよび２６ｂとからなる。
【００４７】
本実施形態では，Ｘ軸に沿って配置された集合，つまり，列になっている放電セルグループごとに一つのスキャン電極（Ｙｎ）が放電セル８Ｒ，８Ｇおよび８Ｂの中心部位を横切るように位置し，２個の共通電極（Ｘｎ）が放電セル８Ｒ，８Ｇおよび８Ｂの上下端部（図２基準）に一つずつ位置し，アドレス電極１２方向に沿って隣接した２つの列の放電セルグループが，その間に位置する一つの共通電極（Ｘｎ）を共有する。
【００４８】
つまり，図２に示されているように，第２の列の放電セルグループを基準に説明すれば，この列に該当する放電セル８Ｒ，８Ｇおよび８Ｂのグループには，放電セル８Ｒ，８Ｇおよび８Ｂが独立して使用するスキャン電極（Ｙ１）が配置される。そして，放電セル８Ｒ，８Ｇおよび８Ｂの上端部（図２基準）には，第１の列の放電セルグループと共有する共通電極（Ｘ１）が配置され，放電セル８Ｒ，８Ｇおよび８Ｂの下端部（図２基準）には，第３の列の放電セルグループと共有する共通電極（Ｘ２）が配置される。
【００４９】
このように，２つの列の放電セルグループが一つの共通電極（Ｘｎ）を共有できることは，全ての共通電極（Ｘｎ）に共通電圧が印加されるためであり，各放電セル８Ｒ，８Ｇおよび８Ｂに維持放電が設置されるか否かは，スキャン電極（Ｙｎ）に印加される維持電圧（Ｖｓ）の有無によって決定される。
【００５０】
このとき，共通電極（Ｘｎ）の透明電極２６ａは，２つの列の放電セル８Ｒ，８Ｇおよび８Ｂグループの内部にかけて形成されるのが好ましい。一方，共通電極（Ｘｎ）のバス電極２６ｂは，放電セル８Ｒ，８Ｇおよび８Ｂの外側領域，つまり，第３隔壁部材６ｃと非放電領域１０上に配置されるのが好ましい。これは，共通電極（Ｘｎ）のうち，抵抗の低いバス電極２６ｂが放電空間に露出されることを防止して，放電電流の流れを制限するためである。これにより，消費電力の上昇を抑制し，共通電極（Ｘｎ）の電圧降下を減らして均一な輝度を示す効果につながる。
【００５１】
前述した構成により，特定放電セル（例えば，図２に示した２列の赤色放電セル８Ｒ）のアドレス電極１２とスキャン電極（Ｙｎ）との間にアドレス電圧（Ｖａ）を印加すれば，赤色放電セル８Ｒ内にアドレス放電が起こり，維持電極１８を覆っている第２誘電層２０上に壁電荷が蓄積されて，この赤色放電セル８Ｒを選択する。
【００５２】
続いて，共通電極（Ｘ１）（Ｘ２）に，グラウンド電圧を印加した状態で選択された赤色放電セル８Ｒのスキャン電極（Ｙ１）に維持電圧（Ｖｓ）を印加する。図４に示したように，スキャン電極（Ｙ１）と第１共通電極（Ｘ１）との間の放電ギャップ（Ｇ２），およびスキャン電極（Ｙ１）と第２共通電極（Ｘ２）との間の放電ギャップ（Ｇ１）より，同時にプラズマ放電が開始する。プラズマ放電時に作られるＸｅの励起原子から，真空紫外線が放出され，真空紫外線が蛍光層１６Ｒを励起させて可視光を放出することによってカラー表示を可能にする。
【００５３】
このとき，維持電圧（Ｖｓ）によって生成されたプラズマ放電は，赤色放電セル８Ｒの外郭周辺部に向かって大略的な円弧模様を描きながら，拡散した後に消滅する。しかし，本実施形態では，各々の放電セル８Ｒ，８Ｇおよび８Ｂがプラズマ放電の拡散形態に合わせてその形態が決められる。これにより，放電セル８Ｒ，８Ｇおよび８Ｂの全領域で効率的な維持放電が起きて，放電効率を高めることが可能となる。
【００５４】
また，放電セル８Ｒ，８Ｇおよび８Ｂは，図３に示した断面形状により，放電セル８Ｒ，８Ｇおよび８Ｂの外郭周辺部に行くほど，放電領域に対する蛍光層１６Ｒ，１６Ｇおよび１６ｂの接触面積が増大して発光効率が向上する。さらに，放電セル８Ｒ，８Ｇおよび８Ｂの間に位置する非放電領域１０が，隣接した放電セルから出る熱を吸収して，プラズマディスプレイパネル外部に放出させることにより，プラズマディスプレイパネルの放熱特性を高める役割を果たす。
【００５５】
さらに，本実施形態では，スキャン電極（Ｙ１）と第１共通電極（Ｘ１）との間の放電ギャップ（Ｇ２），およびスキャン電極（Ｙｎ）と第２共通電極（Ｘ２）との間の放電ギャップ（Ｇ１）において同時にプラズマ放電が開始され，維持放電時に放電パスが短縮するので，隔壁６の高さを低くすることができる。本実施形態における安定した駆動が可能な隔壁６の高さは，９０〜１２０μｍである。隔壁６の高さが低くなることにより，アドレス電極１２とスキャン電極（Ｙｎ）との間の間隔が縮小されるので，アドレス放電にさらに有利な放電構造を構成することが可能となる。
【００５６】
このように，本実施形態によるプラズマディスプレイパネルは，各々の放電セル８Ｒ，８Ｇおよび８Ｂに，一つのスキャン電極（Ｙｎ）と一対の共通電極（Ｘｎ）を配置して，隣り合う２つの放電セル８Ｒ，８Ｇおよび８Ｂのグループが，一つの共通電極（Ｘｎ）を共有する維持電極１８構造を提供する。このような電極構造は，アドレス電極１２方向による放電セル８Ｒ，８Ｇおよび８Ｂの縦ピッチを減らし，画面の短軸方向で画素数を増加させるのに有効であるので，高画質プラズマディスプレイパネルの製作を容易にすることができる。
【００５７】
また，本実施形態によるプラズマディスプレイパネルは，第２隔壁部材６ｂによって，アドレス電極１２方向に沿って位置する放電セル間クロストークを防止して，放電の安定化に寄与する。その結果，放電ガス中の真空紫外線を放出するＸｅ含量またはＸｅ−Ｎｅ混合ガスの含量を高めることができるので，発光効率を高めることができる。
【００５８】
以上説明したように，本実施形態では，プラズマディスプレイパネルにおいて，放電セル内の放電電流を制限して消費電力の上昇を抑制し，発光効率を極大化してプラズマディスプレイパネル効率を高めることができる。また，アドレス電極方向に沿って放電セルのピッチを減らして高画質プラズマディスプレイパネルの実現を容易にすると同時に，アドレス電極方向に沿って位置する放電セル間クロストーク問題を解決して，放電を安定化することができる。
【００５９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００６０】
例えば，図５および図６を参照して，本実施形態に対する変形例について説明する。
【００６１】
図５は，第１変形例であり，本実施形態の構造を基本として，隔壁２８がアドレス電極方向（図５のＹ方向）に沿った第１隔壁部材２８ａと，第１隔壁部材２８ａに直交する第２隔壁部材２８ｂとを含む格子形に形成されてプラズマディスプレイパネルを構成する。これにより，各々の放電セル３０Ｒ，３０Ｇおよび３０Ｂは，第１隔壁部材２８ａおよび第２隔壁部材２８ｂに囲まれて独立的に区画され，共通電極（Ｘ１）（Ｘ２）の一部，つまり，共通電極（Ｘ１）（Ｘ２）のバス電極２６ｂは，第２隔壁部材２８ｂ上に配置されて放電空間に露出しないようにする。
【００６２】
図６は，第２変形例であり，この例のプラズマディスプレイパネルは第１変形例の構造を基本として，一つの列に対して放電セル３２Ｒ，３２Ｇおよび３２Ｂが，他の列の放電セルとの間に維持電極１８の配置方向に沿って一つの空間４０が形成されるような構造を有する。
【００６３】
このような構造は，第２変形例による隔壁３４が，アドレス電極の配置方向（図６のＹ方向）に対応して配置される第１隔壁部材３４ａと，第１隔壁部材３４ａと直交状態に配置されながら，第１隔壁部材３４ａの両端に連結されて形成する一対の第２隔壁部材３４ｂとにより形成することで可能となる。
【００６４】
第２変形例において，共通電極（Ｘｎ）の一部であるバス電極２６ｂは，毎列の放電セルグループの間の空間４０に対応配置されて，放電空間に露出されないようにする。
【産業上の利用可能性】
【００６５】
本発明は，プラズマディスプレイパネルに適用可能であり，特に後面基板にアドレス電極を備え，前面基板にスキャン電極と共通電極とからなる維持電極を備えて放電セルを構成する交流型プラズマディスプレイパネルに適用可能である。
【図面の簡単な説明】
【００６６】
【図１】プラズマディスプレイパネルの部分分解斜視図である。
【図２】図１のプラズマディスプレイパネルが結合された状態を概略的に示した部分平面図である。
【図３】図１のプラズマディスプレイパネルが結合された状態を部分的に示した平面図である。
【図４】図１のプラズマディスプレイパネルが結合された状態を示した部分断面図である。
【図５】プラズマディスプレイパネルの第１変形例を部分的に示した平面図である。
【図６】プラズマディスプレイパネルの第２変形例を部分的に示した平面図である。
【符号の説明】
【００６７】
２      第１基板
４      第２基板
６，２８，３４      隔壁
６ａ，２８ａ，３４ａ      第１隔壁部材
６ｂ，２８ｂ，３４ｂ      第２隔壁部材
６ｃ      第３隔壁部材
８，３２      放電セル
１０      非放電領域
１２      アドレス電極
１４      第１誘電層
１６      蛍光層
１８      維持電極
２０      第２誘電層
２２      ＭｇＯ保護膜
２４ａ，２６ａ      透明電極
２４ｂ，２６ｂ      バス電極
【図１】
2005123191.tif 000003
【図２】
2005123191.tif 000004
【図３】
2005123191.tif 000005
【図４】
2005123191.tif 000006
【図５】
2005123191.tif 000007
【図６】
2005123191.tif 000008